(57)【要約】      （修正有）【課題】主電源と電池との２つの電源を備え、停電時に電池により電磁弁開閉動作を行う便器洗浄装置において、蓄電用コンデンサの電荷を使いきった後、電池の使用を開始することで、停電時の電池による電磁弁の開閉回数を増やすことができる便器洗浄装置を提供する。【解決手段】洗浄水の供給通路を開閉駆動する電磁弁１１と電磁弁を制御する制御手段１３ｂと電磁弁および制御手段に電力供給を行う給電手段１３ａとを備え、給電手段は外部電源からの電力供給を受けて充電される蓄電用コンデンサ３５と蓄電用コンデンサの二次側に逆流防止素子３４を介して接続された電池３３と電池による給電を開閉する開閉素子３７とを有し、制御手段は蓄電用コンデンサの蓄電電圧ＡＤ１を検出し蓄電電圧が第一蓄電電圧以上であると開閉素子を開放して電池からの給電を停止し蓄電電圧が第一蓄電電圧より低いと開閉素子を閉じて電池からの給電を行う。【選択図】図３
2017179742.tif 000002
【特許請求の範囲】
【請求項１】
便器に吐水される洗浄水の供給通路を開閉駆動する電磁弁と、
前記電磁弁の開閉駆動を制御する制御手段と、
前記電磁弁および前記制御手段に電力供給を行う給電手段と、を備えた便器洗浄装置において、
前記給電手段は、外部電源からの電力供給を受けて充電される蓄電用コンデンサと、該蓄電用コンデンサの後段側に逆流防止素子を介して接続された電池と、前記電池による給電を開閉する開閉素子と、を有し、
前記制御手段は、前記蓄電用コンデンサの蓄電電圧を検出し、該蓄電電圧が第一蓄電電圧以上であると前記開閉素子を開放して前記電池からの給電を停止し、前記蓄電電圧が前記第一蓄電電圧より低いと前記開閉素子を閉じて前記電池からの給電を行う便器洗浄装置。
【請求項２】
前記制御手段は、更に前記電池の電池電圧を検出し、該電池電圧が電池保証電圧よりも低いと、前記蓄電電圧が前記第一蓄電電圧より低い場合でも前記開閉素子を閉じないことを特徴とする請求項１に記載の便器洗浄装置。
【請求項３】
前記電池の交換を報知する報知手段を更に備え、
前記制御手段は、前記電池電圧が前記電池保証電圧よりも高く設定された交換電圧よりも低いと前記報知手段による報知を行うことを特徴とする請求項２に記載の便器洗浄装置。
【発明の詳細な説明】
【技術分野】
【０００１】
本発明は、２つ以上の異なる電源経路によって駆動される電磁弁を備え、この電磁弁開閉動作によって洗浄水を供給する便器洗浄装置に関する。
【背景技術】
【０００２】
従来から主電源と電池との２つの電源を備え、停電時に電池によって電磁弁開閉動作を行う便器洗浄装置では、蓄電用コンデンサに対し電池により充電を行い、蓄電用コンデンサに充電されている電荷を使用し、電磁弁を開閉させ、便器洗浄動作を実行させていた。（例えば、特許文献１）
【先行技術文献】
【特許文献】
【０００３】
【特許文献１】特開２０１４−１２９８４７号公報
【発明の概要】
【発明が解決しようとする課題】
【０００４】
しかしながら、特許文献１の構成では、通常動作時、停電時によらず、電池から蓄電用コンデンサに充電可能に構成されている。
そのため、蓄電用コンデンサの電荷を使い切る前に電池を消費してしまう恐れがあり、停電時までに電池が消耗してしまっていて、電池による電磁弁の開閉を予定した回数できないことが課題となる。
【０００５】
本発明は、前記課題を解決するためになされたものであり、蓄電用コンデンサの電荷を使いきった後、電池の使用を開始することで、通常時における電池の消耗を抑え、停電時の電池による電磁弁の開閉回数を増やすことを目的としている。
【課題を解決するための手段】
【０００６】
前記目的を達成するために請求項１記載の便器洗浄装置においては、便器に吐水される洗浄水の供給通路を開閉駆動する電磁弁と、前記電磁弁の開閉駆動を制御する制御手段と、前記電磁弁および前記制御手段に電力供給を行う給電手段と、を備えた便器洗浄装置において、前記給電手段は、外部電源からの電力供給を受けて充電される蓄電用コンデンサと、該蓄電用コンデンサの後段側に逆流防止素子を介して接続された電池と、前記電池による給電を開閉する開閉素子と、を有し、前記制御手段は、前記蓄電用コンデンサの蓄電電圧を検出し、該蓄電電圧が第一蓄電電圧以上であると前記開閉素子を開放して前記電池からの給電を停止し、前記蓄電電圧が前記第一蓄電電圧より低いと前記開閉素子を閉じて前記電池からの給電を行うことを特徴とする。
そのため、外部電源からの給電が行われていて、蓄電用コンデンサに電磁弁および制御手段の駆動に必要な電力が蓄電されている状態では、開閉素子を開放して電池からの給電を停止することで、電池の消費を抑えることができる。
特に、第一蓄電電圧を電池の動作保証電圧（終止電圧）に近い値とすれば、より電池の消費を抑えることができる。
また、開閉素子を閉じて電池から給電する場合には、逆流防止素子により電池からの蓄電用コンデンサへの充電が行われることを防止しているため、外部電源からの給電が停止した場合でも蓄電用コンデンサに充電された電力による電磁弁および制御手段の動作時間を長くすることができ、効率よく電池を使用することができる。
【０００７】
また、請求項２記載の便器洗浄装置においては、前記制御手段は、更に前記電池の電池電圧を検出し、該電池電圧が電池保証電圧よりも低いと、前記蓄電電圧が前記第一蓄電電圧より低い場合でも前記開閉素子を閉じないことを特徴とする。
そのため、電池電圧が電池保証電圧よりも低い場合に電池からの給電を行うことがないので、電池が液漏れなどの不具合を起こすことを防止できる。
【０００８】
また、請求項３記載の便器洗浄装置においては、前記電池の交換を報知する報知手段を更に備え、前記制御手段は、前記電池電圧が前記電池保証電圧よりも高く設定された交換電圧よりも低いと前記報知手段による報知を行うことを特徴とする。
そのため、電池による給電が行えなくなる前に、電池交換時期を効率よく使用者に促すことができる。
【発明の効果】
【０００９】
本発明によれば、外部電源からの給電が行われていて、蓄電用コンデンサに電磁弁および制御手段の駆動に必要な電力が蓄電されている状態では、開閉素子を開放して電池からの給電を停止することで、電池の消費を抑えることができる。
また、開閉素子を閉じで一時電池から給電する場合には、逆流防止素子により電池からの蓄電用コンデンサへの充電が行われることを防止しているため、外部電源からの給電が停止した場合でも蓄電用コンデンサに充電された電力による電磁弁および制御手段の動作時間を長くすることができ、効率よく電池を使用することができる。
【図面の簡単な説明】
【００１０】
【図１】本発明の実施形態に係る便器洗浄装置の全体斜視図である。
【図２】本発明の実施形態に係る便器洗浄装置の構成を示した模式図である。
【図３】本発明の実施形態に係る制御基板の回路構成例を示した図面である。
【図４】本発明の実施形態に係る制御手段による開閉素子の開閉動作の一例を示すフローチャートである。
【発明を実施するための形態】
【００１１】
以下、添付図面を参照しながら本発明の実施の形態について説明する。説明の理解を容易にするため、各図面において同一の構成要素に対しては可能な限り同一の符号を付して、重複する説明は省略する。
【００１２】
図１は、本発明に係る実施形態に従った便器洗浄装置の適用例を示す図である。図２は、本発明の実施形態に係る便器洗浄装置の構成を示す模式図である。
【００１３】
図１に示すように、本実施形態の便器洗浄装置１は、便器２への吐水を行うことで便器２を洗浄する。便器洗浄装置１は、給水管３から供給される水を、便器２の洗浄水として、便器２に吐水する。給水管３によって供給される水は、止水栓４を介して流入管５によって便器洗浄装置１に流れ込む。便器洗浄装置１から吐水される洗浄水は、便器２に接続される流出管６により便器２に流れ込む。
【００１４】
図１及び図２に示すように、便器洗浄装置１は、ラッチング式ソレノイドバルブである電磁弁１１を含むバルブユニット１０と、人体検知センサ１２と、制御基板１３とを備える。便器洗浄装置１においては、バルブユニット１０、人体検知センサ１２、および制御基板１３は、略直方体状の外形を有するケーシング１５内に設けられる。図１に示すように、リモコン装置１４が、便器２が設置される部屋の壁に取り付けられること等により、便器２の使用者が操作可能な位置に設けられる。
【００１５】
本実施形態の便器洗浄装置１においては、使用者が便器洗浄のためにリモコン装置１４を操作することによって便器２に洗浄水が吐水される意思洗浄と、意思洗浄が行われなかった場合等に自動的に便器２に洗浄水が吐水される自動洗浄と、が行われる。以下、便器洗浄装置１の各部の詳細について説明する。
【００１６】
図２に示すように、バルブユニット１０は、洗浄水の供給を受ける入水口１６と、便器
２へ吐水される洗浄水の流出口としての出水口１７とを有する。入水口１６には、給水管３（図１）によって供給される水を便器洗浄装置１に導く流入管５（図１）が接続される。出水口１７には、洗浄水を便器２へと導く流出管６（図１）が接続される。
【００１７】
バルブユニット１０においては、給水管３から供給される洗浄水が、流入管５を介して入水口１６から流れ込む（矢印Ａ１参照）。入水口１６から流れ込んだ洗浄水は、バルブユニット１０内に形成される水の通路を通って、出水口１７から流れ出て（矢印Ａ２参照）、流出管６を介して便器２へと供給される。以下の説明では、バルブユニット１０において入水口１６と出水口１７との間に設けられる洗浄水の通路を「本体内通水路」という。
【００１８】
バルブユニット１０は、ピストンバルブ１８を有する。ピストンバルブ１８は、本体内通水路において入水口１６の下流側に設けられる。ピストンバルブ１８は、本体内通水路内において上下方向に移動可能に設けられる。ここで、上下方向とは、便器２が設置される床面に対して略垂直方向、つまり略鉛直方向である。以下の説明では、ピストンバルブ１８の移動方向である上下方向を、便器洗浄装置１における上下方向とする。
【００１９】
ピストンバルブ１８は、パッキン１８ａ、１８ｂを有する。パッキン１８ａは、バルブユニット１０においてピストンバルブ１８の摺動面として形成される壁面と、ピストンバルブ１８の外周面との間をシールする。また、パッキン１８ｂは、バルブユニット１０においてピストンバルブ１８の着座面として形成される壁面と、ピストンバルブ１８の底面との間をシールする。
【００２０】
バルブユニット１０において、ピストンバルブ１８の上側には、背圧室１９が設けられている。背圧室１９は、ピストンバルブ１８の内部に形成される連通路１８ｃを介して入水口１６と連通する。ピストンバルブ１８の下側には、二次側水路２０が設けられている。二次側水路２０に流れ込む水は、出水口１７から流れ出る。入水口１６と二次側水路２０とは、ピストンバルブ１８が最下端に位置することで、パッキン１８ｂにより、ピストンバルブ１８とバルブユニット１０におけるピストンバルブ１８の着座面として形成される壁面との間の流路が遮断され、非連通状態となる。ピストンバルブ１８が最下端の位置から上昇することで、パッキン１８ｂとバルブユニット１０におけるピストンバルブ１８の着座面として形成される壁面との間に隙間ができ、流路が開放され、連通状態となる。
【００２１】
背圧室１９は、バイパス流路２１によって二次側水路２０に連通する。このバイパス流路２１に、電磁弁１１が設けられる。電磁弁１１は、バイパス流路２１の開閉を行う。つまり、電磁弁１１の開閉により、バイパス流路２１を介する背圧室１９と二次側水路２０との連通状態・非連通状態が切り換えられる。
【００２２】
電磁弁１１は、ソレノイドコイル（図示せず）への通電によって、プランジャ（図示せず）を移動させて流路の開閉を切り換える。電磁弁１１は、流路の開状態または閉状態を維持しているときには、ラッチング式であるため、消費電力が少ない。
【００２３】
このような構成を備えるバルブユニット１０においては、次のようにして、便器２への洗浄水の吐水が行われる。電磁弁１１が閉じている状態では、給水管３から流入管５を介して入水口１６に流れ込む水が、ピストンバルブ１８の連通路１８ｃを介して、電磁弁１１の上流側の背圧室１９に流れ込み、背圧室１９内に溜まる。
【００２４】
背圧室１９内に水が溜まることにより、背圧室１９内の水圧によって背圧室１９内の圧力が二次側水路２０内の圧力よりも高くなってピストンバルブ１８が押し下げられる。これにより、入水口１６と二次側水路２０との間がピストンバルブ１８によって閉じられる（非連通状態となる）。つまり、電磁弁１１が閉じている状態においては、入水口１６から流れこむ水が電磁弁１１とピストンバルブ１８とによってせき止められ、出水口１７からの吐水は行われない。
【００２５】
このように電磁弁１１が閉状態であり、入水口１６と二次側水路２０との間がピストンバルブ１８によって閉じられている状態から、電磁弁１１が開状態とされると、背圧室１９内の水がバイパス流路２１を介して二次側水路２０に流れ込む。これにより、背圧室１９内の圧力が低下し、入水口１６内の水によりパッキン１８ａが押し上げられることで、ピストンバルブ１８が上昇（背圧室１９側に移動）する。ピストンバルブ１８が上昇することで、入水口１６と二次側水路２０とが連通状態となり、入水口１６に流れ込む水が、二次側水路２０へと流れ、出水口１７から流れ出て便器２に供給される。
【００２６】
そして、電磁弁１１の開弁によって出水口１７から水が流れ出ている状態から、電磁弁１１が閉じられることで、ピストンバルブ１８の連通路１８ｃから背圧室１９に流れ込む水がバイパス流路２１を介して二次側水路２０に流れ込まないため、背圧室１９に水が溜まり始める。これにより、背圧室１９内の圧力が上昇するため、ピストンバルブ１８が押し下げられる。そして、最終的には入水口１６と二次側水路２０との間がピストンバルブ１８によって閉じられ、出水口１７からの吐水が行われない止水状態となる。
【００２７】
このような電磁弁１１の開閉による便器２への洗浄水の吐水においては、電磁弁１１の開時間を制御し、便器２へ吐水される洗浄水の水量が調整される。したがって、小便洗浄の場合に比べて洗浄水量の多い大便洗浄の場合の方が電磁弁１１の開時間は長い。
【００２８】
このように、本実施形態の便器洗浄装置１においては、バルブユニット１０が有する電磁弁１１は、本体内通水路の開閉を行うための開閉弁であり、便器２に吐水される洗浄水の供給通路を開閉する洗浄弁として機能する。電磁弁１１の開閉によって、本体内通水路の開閉、つまり便器洗浄装置１の吐水状態と止水状態とが切り換わる。
【００２９】
電磁弁１１の開閉動作は、制御基板１３の制御手段１３ｂによって制御される。このため、電磁弁１１は、制御手段１３ｂからの制御信号に従って電気的に制御され、バイパス流路２１の開閉を行う。電磁弁１１によるバイパス流路２１の開閉は、上述したような本体内通水路の開閉をともなう。
【００３０】
人体検知センサ１２は、使用者を検知する人体検知部として機能する。人体検知センサ１２は、使用者の存在を検知する非接触センサである。本実施形態では、人体検知センサ１２は、赤外線センサである。このため、人体検知センサ１２は、赤外線を発光する発光素子と、発光した赤外線の反射光を受光する受光素子とを有する。
【００３１】
人体検知センサ１２は、ケーシング１５内において、赤外線を送受する側が使用者の方向を向くように配置される。ケーシング１５には、使用者が位置する側の壁面に、人体検
知センサ１２による赤外線の送受を確保するための検知窓１２ａが設けられている（図１参照）。
【００３２】
本実施形態では、人体検知センサ１２において、発光素子により赤外線を発光し、発光した赤外線の反射光を受光素子にて受信する。
【００３３】
人体検知センサ１２は、制御手段１３ｂに接続される。人体検知センサ１２から出力される信号が、制御手段１３ｂに入力され、制御手段１３ｂにより、使用者の存在・非存在が検知される。
【００３４】
なお、本実施形態では、人体検知センサ１２は赤外線センサであるが、使用者を検知する人体検知部としては、赤外線センサのほか、公知の非接触センサや接触センサ等の各種センサを採用することができる。また、使用者を検知する人体検知部は、本実施形態の人体検知センサ１２のように、バルブユニット１０等とともにケーシング１５に収納されることなく、例えば便座２ａに一体的に内蔵される構成等であってもよい。
【００３５】
リモコン装置１４は、制御手段１３ｂに電磁弁１１の開閉動作を制御するための操作信号を供給する操作部として機能する。具体的には、リモコン装置１４は、制御基板１３に供給する操作信号として、赤外線信号を発信する。このため、リモコン装置１４は、赤外線信号を発信する発信部２２を有する。本実施形態では、リモコン装置１４は、図１に示すように、矩形厚板状の外形を有し、設置された状態で上側となる両側の角部の２箇所に、発信部２２が設けられている。
【００３６】
一方、図２に示すように、便器洗浄装置１においては、リモコン装置１４の発信部２２から発信された赤外線信号を受信する受信部２３が設けられる。受信部２３は、制御手段１３ｂに接続され、受信部２３により受信された赤外線信号は、制御手段１３ｂに入力される。
【００３７】
リモコン装置１４は、便器洗浄、つまり便器２への洗浄水の吐水を行うための操作スイッチとして、洗浄スイッチ２４を有する。洗浄スイッチ２４が使用者等によって操作されることで、上述したように電磁弁１１が開いて便器洗浄装置１が吐水状態となり、入水口１６から便器２への洗浄水の吐水が行われる。本実施形態では、洗浄スイッチ２４は、大便洗浄用のスイッチとする。ただし、図示は省略するが、リモコン装置１４は、例えば小便洗浄用のスイッチ等、他の操作スイッチも有する。
【００３８】
リモコン装置１４は、駆動電力を供給するための電池（図示せず）を内蔵する。ただし、リモコン装置１４の駆動電力は、便器洗浄装置１の外部に設けられる外部電源３０から供給されてもよい。また、本実施形態では、リモコン装置１４から制御基板１３に供給される操作信号は、赤外線信号であるが、この方式に限定されない。リモコン装置１４からの操作信号としては、例えば、他の波長の電磁波を利用した信号や、超音波を利用した信号や、有線方式により送信される信号等であってもよい。
【００３９】
図３は、本発明の実施形態に係る制御基板１３の回路構成例を示す図面である。制御基板１３は、給電手段１３ａと、制御手段１３ｂと、を有する。
給電手段１３ａは、降圧手段３１と、ＬＤＯレギュレータ３２と、電池３３と、逆流防止ダイオード３４と、蓄電用コンデンサ３５と、電圧変換手段３６と、開閉素子３７と、を備えている。制御手段１３ｂは、マイコンによって構成されている。
【００４０】
制御手段１３ｂは、データ通信用のバス等により互いに接続されるＣＰＵ（Ｃｅｎｔｒａｌ Ｐｒｏｃｅｓｓｉｎｇ  Ｕｎｉｔ）やメモリや入出力インターフェイス等の各種機能部分を有する。制御手段１３ｂは、入出力インターフェイスを介して、人体検知センサ１２およびリモコン装置１４からの入力信号を受ける受信部２３、ならびに電磁弁１１と接続されている。
【００４１】
制御手段１３ｂは、蓄電用コンデンサ３５の蓄電電圧ＡＤ１および電池電圧ＡＤ２を入力インターフェイスを介して接続、ならびに開閉素子３７に対する制御信号を出力するための出力インターフェイスを有する。また、制御手段１３ｂは、制御プログラムや後述するような電池３３の使用における開閉素子３７の開閉動作についての制御に用いられる各種データ等を記憶するメモリを有する。メモリは、例えばＣＰＵに接続されるＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等により構成される。制御手段１３ｂが有するＣＰＵは、制御プログラム等に従って所定の演算を行う演算部として機能する。
【００４２】
給電手段１３ａは、外部電源３０及び電池３３から供給された電力を電磁弁１１、人体検知センサ１２、制御手段１３ｂに供給する配線を有する。外部電源３０は実施例においては商用外部電源のＡＣ１００Ｖである。降圧手段３１は、外部電源３０より供給された交流電圧を直流電圧へ変換し、所定の電圧以下となるように制限する。次に、ＬＤＯレギュレータ３２にて、さらに所定の電圧以下となるように制限する。その後、蓄電用コンデンサ３５に蓄電される。
【００４３】
蓄電用コンデンサ３５の後段側には逆流防止ダイオード３４を介して接続された電池３３がある。電池３３と逆流防止ダイオード３４との間には、電池３３による給電を開閉する開閉素子３７を有する。
蓄電用コンデンサ３５に蓄えられたエネルギーは、逆流防止ダイオード３４を介して電圧変換手段３６によって所定電圧に変換される。本実施形態では、この電圧値も３Ｖとする。この電圧変換手段３６の出力電圧が、人体検知センサ１２、制御手段１３ｂ、電磁弁１１の動作電圧である３Ｖとなる。本実施形態では、電圧変換手段３６として昇圧制御ＩＣを用いている。この昇圧制御ＩＣは、入力電圧が所定電圧以下になったら出力電圧が３Ｖとなるように、昇圧用コイルに流す電流をスイッチング制御している。例えば、蓄電用コンデンサ３５の充電が十分でなく、電圧値が２Ｖとなった場合などに、電圧変換手段３６は昇圧動作し、出力電圧値を３Ｖとする。この蓄電用コンデンサ３５の充電が十分でない状況は、外部電源３０からの発電量が不足した時や電池３３の消耗による電圧低下時に生じる。
なお、前段側とは外部電源３０側のことを指し、後段側とは電磁弁１１側のことを指している。
【００４４】
制御手段１３ｂは、人体検知センサ１２やリモコン装置１４からの検知信号を受け、電磁弁１１の開閉動作を制御する。具体的には、制御手段１３ｂが、人体検知センサ１２から出力される信号や、リモコン装置１４における操作等に基づいて、バルブ駆動手段（図示せず）を構成しているＨブリッジの所定時間ＯＮすることで、電磁弁１１のソレノイドコイルに３Ｖを通電させて駆動する。電磁弁１１に対し、ある一方の方向に所定時間通電すれば開駆動となり、もう一方の方向に所定時間通電すれば閉駆動となる。
【００４５】
図４を参照しながら、開閉素子３７の具体的な動作について説明する。
図４は本発明の実施形態に係る制御手段による開閉素子の開閉動作の一例を示すフローチャートである。
【００４６】
図４に示した一連の処理は、給電手段１３ａに対して、制御手段１３ｂによって実行される給電処理である。
【００４７】
ステップＳ０１において、制御手段１３ｂは、蓄電用コンデンサの蓄電電圧ＡＤ１が第一蓄電電圧Ｖ１（１．６Ｖ）以上であるか否かを判定する。
第一蓄電電圧Ｖ１を超えたと判定された場合（Ｓ０１：Ｙｅｓ）は、ステップＳ０２に進み、超えていないと判定された場合（Ｓ０１:Ｎｏ）は、ステップＳ０３に進む。
そのため、外部電源３０からの給電が行われていて、蓄電用コンデンサ３５に電磁弁１１および制御手段１３ｂの駆動に必要な電力が蓄電されている状態では、開閉素子３７を開放して電池３３からの給電を停止することで、電池３３の消費を抑えることができる。
特に、第一蓄電電圧Ｖ１を電池３３の動作保証電圧（終止電圧）に近い値とすれば、より電池３３の消費を抑えることができる。
また、開閉素子３７を閉じて電池３３から給電する場合には、逆流防止ダイオード３４により電池３３からの蓄電用コンデンサ３５への充電が行われることを防止しているため、外部電源３０からの給電が停止した場合でも蓄電用コンデンサ３５に充電された電力による電磁弁１１および制御手段１３ｂの動作時間を長くすることができ、効率よく電池３３を使用することができる。
【００４８】
ステップＳ０２において、制御手段１３ｂは、開閉素子３７を開いたままの状態にする。すなわち、電池３３からの給電は行わない。その後、給電処理の初工程へ戻る。
【００４９】
ステップＳ０３において、制御手段１３ｂは、電池電圧ＡＤ２が電池保証電圧Ｖ２（１．８Ｖ）を越えているか否かを判定する。超えたと判定された場合（Ｓ０３：Ｙｅｓ）には、ステップＳ０４へ進む。超えていないと判定された場合（Ｓ０３：Ｎｏ）にはステップＳ０５へ進む。
【００５０】
ステップＳ０４において、制御手段１３ｂは、開閉素子３７を閉じる。すなわち、電池３３からの給電を開始する。その後、ステップＳ０７へ進む。
【００５１】
ステップＳ０５において、制御手段１３ｂは、開閉素子３７を開いたままの状態にする。すなわち、電池３３からの給電は行わない。そのため、電池電圧ＡＤ２が電池保証電圧Ｖ２よりも低い場合に電池３３からの給電を行うことがないので、電池３３が液漏れなどの不具合を起こすことを防止できる。その後、ステップＳ０６へ進む。
【００５２】
ステップＳ０６において、制御手段１３ｂは、報知手段により電池３３の交換を報知する。そのため、使用者に電池３３が切れたことを報知し、電池３３の交換時期を報知することができる。
なお、報知手段はＬＥＤランプや音声など使用者に報知できる手段であれば任意に選択することができる。
【００５３】
ステップＳ０７において、制御手段１３ｂは、電池電圧ＡＤ２が電池切れ予告電圧Ｖ３（２．０Ｖ）を下回っているか否かを判定する。下回っていると判定された場合（Ｓ０７：Ｙｅｓ）には、ステップＳ０８へ進む。下回っていないと判定された場合（Ｓ０７：Ｎｏ）には給電処理の初工程へ戻る。
【００５４】
ステップＳ０８において、制御手段１３ｂは、報知手段により電池３３の交換時期が近づいていることを報知する。そのため、電池３３による給電が行えなくなる前に、電池交換時期を効率よく使用者に促すことができる。
【００５５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【符号の説明】
【００５６】
１…便器洗浄装置
２…便器
３…給水管
４…止水栓
５…流入管
６…流出管
１０…バルブユニット
１１…電磁弁
１２…人体検知センサ
１３…制御基板
１３ａ…給電手段
１３ｂ…制御手段
１４…リモコン装置
１５…ケーシング
１６…入水口
１７…出水口
１８…ピストンバルブ
１９…背圧室
２０…二次側水路
２１…バイパス流路
２２…発信部
２３…受信部
２４…洗浄スイッチ
３０…外部電源
３１…降圧手段
３２…ＬＤＯレギュレータ
３３…電池
３４…逆流防止ダイオード
３５…蓄電用コンデンサ
３６…電圧変換手段
３７…開閉素子
ＡＤ１…蓄電電圧
ＡＤ２…電池電圧
Ｖ１…第一蓄電電圧
Ｖ２…電池保証電圧
Ｖ３…電池切れ予告電圧
【図１】
2017179742.tif 000003
【図２】
2017179742.tif 000004
【図３】
2017179742.tif 000005
【図４】
2017179742.tif 000006